(57)【要約】【課題】車椅子に乗ったユーザにとって操作性がよい画像処理装置を提供する。【解決手段】画像処理装置１０は、装置本体１００、第１操作部４００、第２操作部５００、カム３０及びコイルバネ４５を備える。第１操作部４００は、表示部４１０を有して装置本体１００の上面に配置され、左右方向に配置された回転軸３２を中心に回転自在に構成される。第２操作部５００は、第１操作部４００の下に重なるように配置される収納位置と第１操作部４００から前面側Ｆへ引き出される引き出し位置との間で変位自在に第１操作部４００に保持される。カム３０及びコイルバネ４５は、第１操作部４００の回転状態に関わらず第２操作部５００の角度を一定に保持する。【選択図】図２
2011091746.tif 000002
【特許請求の範囲】
【請求項１】
画像処理を行う装置本体と、
前記装置本体の処理内容を表示する表示部を少なくとも有して前記装置本体の上面に配置され、前記装置本体の一方の側面と前記一方の側面の裏面となる他方の側面とを結ぶ方向に配置された回転軸を中心に前記装置本体に対して回転自在に構成された第１操作部と、
前記装置本体を制御するための入力操作を受け付ける第２操作部であって前記第１操作部の下に重なるように配置される収納位置と前記第１操作部から前記装置本体における前面側へ引き出される引き出し位置との間で変位自在に前記第１操作部に保持された第２操作部と、
前記第１操作部の前記装置本体に対する回転状態に関わらず前記第２操作部の角度を一定に保持する角度保持部材と、を備える画像処理装置。
【請求項２】
前記第１操作部は、前記前面側の反対側である背面側の端部である第１背面側端部を前記装置本体に軸支され、
前記第２操作部は、前記前面側に配置された前記第１操作部の第１前面側端部によって第２前面側端部を軸支された保持体と、前記保持体に対して前記収納位置と前記引き出し位置とに変位自在な第２操作部本体と、を含む請求項１に記載の画像処理装置。
【請求項３】
前記角度保持部材は、前記第１操作部の回転にともなって回転するように前記第１背面側端部に軸支されたカムであって前記第１操作部の回転にともなって前記第１背面側端部と前記保持体の第２背面側端部との間隔を調整するカムと、前記第２背面側端部を前記第１背面側端部へ近接させる方向に付勢する弾性部材と、を含む請求項２に記載の画像処理装置。
【請求項４】
前記回転軸と同芯上に配置されて前記装置本体に固定された第１ギヤと、前記第１ギヤと噛み合う第２ギヤであって前記カムと一体的に回転する第２ギヤと、をさらに備える請求項３に記載の画像処理装置。
【請求項５】
前記装置本体は、原稿の画像を読み取って画像データを生成する画像読取処理を行う画像読取部、及び、前記画像読取部の下に配置されて記録媒体に画像形成処理を行う画像形成部であって前記画像読取部との間に画像形成処理済みの記録媒体を収容する用紙排紙トレイを設けるための空間を有するように構成された画像形成部を含む請求項１から４のいずれかに記載の画像処理装置。
【発明の詳細な説明】
【技術分野】
【０００１】
この発明は、装置本体の上面に操作部を備える画像処理装置に関する。
【背景技術】
【０００２】
画像形成装置及び画像読取装置等の画像処理装置では、装置本体における画像処理を制御するための操作部が、操作性向上のために装置本体の上面に配置されることが多い。また、近年、画像処理装置の多機能化に伴う入力キー数の増加、及び操作性向上のための入力キーの大型化の要求が高く、操作部を大型化する必要が生じている。操作部を大型化する手段として、操作部を収納位置と引き出し位置とに変位自在にする構成が考えられる（例えば、特許文献１参照。）。例えば、表示部を含む第１操作部を装置本体の上面に配置し、入力操作を受け付ける第２操作部を収納位置と引き出し位置とに変位自在にすることで、第１操作部と第２操作部とを含む操作部全体としての面積が大型化する。
【先行技術文献】
【特許文献】
【０００３】
【特許文献１】特開２００２−１７１３７２公報
【発明の概要】
【発明が解決しようとする課題】
【０００４】
ところで、車椅子に乗ったユーザが画像処理装置を操作する場合、操作部が装置本体の上面に配置されているので、ユーザは操作部を視認しづらく、操作性がよくないという問題がある。この問題を解決するために、第１操作部を装置本体の前面側へ下り傾斜させるように回転自在に構成することが考えられる。また、第２操作部は、装置本体に対して変位自在に構成するよりも、第１操作部に保持されて第１操作部に対して変位自在となるように、第１操作部とともに操作部ユニットとして構成した方が、製造が容易である。
【０００５】
しかし、第２操作部が第１操作部に保持される場合、第１操作部を傾斜させると第２操作部もともに傾斜する。車椅子に乗ったユーザにとって、表示部を含む第１操作部は傾斜した方が操作性がよいのに対して、入力操作を受け付ける第２操作部は、傾斜すると操作性が低下する。
【０００６】
この発明の目的は、車椅子に乗ったユーザにとって操作性がよい画像処理装置を提供することにある。
【課題を解決するための手段】
【０００７】
この発明の画像処理装置は、装置本体、第１操作部、第２操作部、及び角度保持部材を備える。装置本体は、画像処理を行う。第１操作部は、装置本体の処理内容を表示する表示部を少なくとも有して装置本体の上面に配置され、装置本体の一方の側面と一方の側面の裏面となる他方の側面とを結ぶ方向に配置された回転軸を中心に装置本体に対して回転自在に構成される。第２操作部は、装置本体を制御するための入力操作を受け付ける。第２操作部は、第１操作部の下に重なるように配置される収納位置と第１操作部から装置本体における前面側へ引き出される引き出し位置との間で変位自在に第１操作部に保持される。角度保持部材は、第１操作部の装置本体に対する回転状態に関わらず第２操作部の角度を一定に保持する。
【０００８】
この構成では、第１操作部は、装置本体の一方の側面と他方の側面とを結ぶ方向に配置された回転軸を中心に、装置本体の前面側と背面側とを結ぶ方向に回転する。第１操作部は、装置本体の上面に配置されるが、前面側へ下り傾斜するように回転させることで、低い位置からの表示部の視認性がよくなる。第１操作部のみが使用され、第２操作部が使用されないときは、第２操作部は収納位置に配置される。第２操作部を使用する際は、第２操作部は引き出し位置に引き出される。第２操作部は、第１操作部に保持されるが、第１操作部の装置本体に対する回転状態に関わらず、角度を一定に保持される。このため、第２操作部は、第１操作部を回転させる前と同じ角度を保持したまま、引き出し位置に配置される。回転前の第１操作部は装置本体の上面に沿って略水平方向に配置されるので、第２操作部は、第１操作部の装置本体に対する回転状態に関わらず略水平方向に保持される。
【０００９】
上述の構成において、第１操作部は、前面側の反対側である背面側の端部である第１背面側端部を装置本体に軸支され、第２操作部は、装置本体における前面側に配置された第１操作部の第１前面側端部によって第２操作部の第２前面側端部を軸支された保持体と、保持体に対して収納位置と引き出し位置とに変位自在な第２操作部本体と、を含むことが好ましい。
【００１０】
第１操作部は、第１背面側端部を装置本体に軸支されるので、第１前面側端部が上下方向に回転する。第１操作部を前面側へ下り傾斜するように回転させることで、第１操作部は回転前に比べて低くなる。また、第１操作部の第１前面側端部が回転前より低くなり、第２操作部が第１前面側端部に軸支されるので、第２操作部も回転前より低くなる。
【００１１】
また、角度保持部材は、第１操作部の回転にともなって回転するように第１背面側端部に軸支されたカムであって第１操作部の回転にともなって第１背面側端部と保持体の第２背面側端部との間隔を調整するカムと、第２背面側端部を第１背面側端部へ近接させる方向に付勢する弾性部材と、を含むように構成することができる。
【００１２】
第２操作部の第２背面側端部は、弾性部材によって第１操作部の第１背面側端部に引き付けられる。一方、第１背面側端部と第２背面側端部との間隔が、第１操作部の装置本体に対する回転状態に関わらず第２操作部が略水平方向に保持されるように、カムによって規定される。このように構造が簡単なので、画像処理装置の小型化、及び製造コストの抑制を図ることができる。
【００１３】
さらに、回転軸と同芯上に配置されて装置本体に固定された第１ギヤと、第１ギヤと噛み合う第２ギヤであってカムと一体的に回転する第２ギヤと、をさらに備えるように構成することができる。第１操作部が前面側へ下り傾斜するように回転することで、第２ギヤが下方へ移動しながら回転し、カムも第２ギヤとともに回転する。これによって、第１背面側端部と第２背面側端部との間隔が広げられる。このため、第２操作部は、第１操作部の装置本体に対する回転状態に関わらず略水平方向に保持される。
【００１４】
また、装置本体は、原稿の画像を読み取って画像データを生成する画像読取処理を行う画像読取部、及び、画像読取部の下に配置されて記録媒体に画像形成処理を行う画像形成部であって画像読取部との間に画像形成処理済みの記録媒体を収容する用紙排紙トレイを設けるための空間を有するように構成された画像形成部を含むように構成することができる。
【００１５】
装置本体は、上部に配置された画像読取部、及び、画像読取部の下に配置された画像形成部を含み、所謂胴内排出形状を呈する。用紙排紙トレイは、画像読取部の下方の空間に配置され、第１操作部及び第２操作部は、画像読取部の上面に配置される。第２操作部は、使用時には装置本体の前面側に略水平状態を保持したままで引き出される一方、不使用時には、第１操作部の下に重なるように収納されるので、用紙排紙トレイからの記録媒体の取り出しの妨げにならない。このため、用紙排紙トレイからの記録媒体の取り出しの作業性がよい。
【発明の効果】
【００１６】
この発明によれば、車椅子に乗ったユーザにとっての操作性をよくすることができる。
【図面の簡単な説明】
【００１７】
【図１】この発明の実施形態に係る画像処理装置の正面断面図である。
【図２】画像処理装置の斜視図である。
【図３】操作パネルの平面図である。
【図４】（Ａ）は通常位置にある第１操作部及び収納位置にある第２操作部の斜視図であり、（Ｂ）は傾斜位置にある第１操作部及び収納位置にある第２操作部の斜視図である。
【図５】（Ａ）は通常位置にある第１操作部及び引き出し位置にある第２操作部の斜視図であり、（Ｂ）は傾斜位置にある第１操作部及び引き出し位置にある第２操作部の斜視図である。
【図６】第１操作部、保持体、及びキーボードケースの斜視図である。
【図７】キーボードの平面図である。
【図８】（Ａ）は通常位置にある第１操作部及び収納位置にある第２操作部の一部を示す平面図であり、（Ｂ）は通常位置にある第１操作部及び収納位置にある第２操作部の側面図である。
【図９】（Ａ）は傾斜位置にある第１操作部及び収納位置にある第２操作部の一部を示す平面図であり、（Ｂ）は傾斜位置にある第１操作部及び収納位置にある第２操作部の側面図である。
【図１０】車椅子に乗ったユーザが使用中の画像処理装置の側面図である。
【図１１】表示部の表示画面の他の例を示す平面図である。
【発明を実施するための形態】
【００１８】
以下に、この発明の実施形態について、図面に基づいて説明する。
【００１９】
図１及び図２に示すように、画像処理装置１０は、装置本体１００、自動原稿搬送装置（ＡＤＦ:Automatic Document Feeder）２００、制御部３００、第１操作部４００、及び第２操作部５００を備えている。
【００２０】
装置本体１００は、画像読取部１１０、画像形成部１２０、及び給紙部１３０を備えている。画像読取部１１０は、装置本体１００の上部に配置され、画像読取部１１０の下に画像形成部１２０が配置され、画像形成部１２０の下に給紙部１３０が配置されている。
【００２１】
画像形成部１２０は、画像読取部１１０との間に画像形成処理済みの用紙を収容する用紙排紙トレイ６７を設けるための空間８３を有するように、一部の水平方向の断面積が画像読取部１１０より小さく形成されている。このように、装置本体１００は、所謂胴内排出形状を呈している。用紙として、印画紙、ＯＨＰフィルム等の記録媒体が挙げられる。
【００２２】
画像読取部１１０は、第１原稿台２１、第２原稿台２２、光源ユニット２３、ミラーユニット２４、レンズ２５、及び固体撮像素子（ＣＣＤ:Charge Coupled Device）２６を備え、原稿の画像を読み取って画像データを生成する画像読取処理を行う。画像読取処理は画像処理に含まれる。
【００２３】
ＡＤＦ２００には、原稿積載トレイ９１から第２原稿台２２を経由して原稿排出トレイ９２へ至る原稿搬送路９３が形成されている。ＡＤＦ２００は、原稿搬送路９３に原稿を１枚ずつ搬送する。ＡＤＦ２００は、第１原稿台２１の上面を開閉自在に被覆するように、前面側Ｆの反対側である背面側Ｒの端部を支点に回動自在にされている。前面側Ｆの端部が上方に移動するようにＡＤＦ２００を回動させて第１原稿台２１の上面を露出させることにより、ＡＤＦ２００を用いずに手動操作によって第１原稿台２１に原稿を載置することができる。
【００２４】
第１原稿台２１及び第２原稿台２２は、ともに硬質ガラス板によって構成されている。
【００２５】
光源ユニット２３及びミラーユニット２４は、第１原稿台２１及び第２原稿台２２の下方において、第１原稿台２１及び第２原稿台２２に沿って副走査方向に移動自在にされている。ミラーユニット２４の移動速度は、光源ユニット２３の移動速度の１／２にされている。光源ユニット２３は、光源及び第１ミラーを搭載している。ミラーユニット２４は、第２ミラー及び第３ミラーを搭載している。
【００２６】
ＡＤＦ２００によって搬送される原稿の画像を読み取る際に、光源ユニット２３は、第２原稿台２２の下方に停止している。光源の光は、第２原稿台２２上を通過する原稿の画像面に向けて照射され、原稿の画像面における反射光が第１ミラーによってミラーユニット２４に向けて反射される。
【００２７】
第１原稿台２１に載置された原稿の画像を読み取る際には、光源ユニット２３及びミラーユニット２４は、第１原稿台２１の下方を副走査方向に移動する。光源の光は、第１原稿台２１上に載置された原稿の画像面に向けて照射され、原稿の画像面における反射光が第１ミラーによってミラーユニット２４に向けて反射される。
【００２８】
ＡＤＦ２００を用いるか否かに拘らず、原稿の画像面における反射光は、光路長を一定にして、第２ミラー及び第３ミラーによってレンズ２５を経由してＣＣＤ２６に入射する。
【００２９】
ＣＣＤ２６は、原稿の画像面における反射光の光量に応じた電気信号を出力する。この電気信号は、制御部３００に画像データとして入力される。このようにして、画像読取部１１０は、原稿の画像を読み取って画像データを生成する。制御部３００は、必要に応じて画像データを画像形成部１２０へ出力する。
【００３０】
画像形成部１２０は、露光ユニット３、４個の画像形成部５１，５２，５３，５４、中間転写ベルトユニット６、二次転写ローラ６６、定着装置７、用紙排紙トレイ６７、及び用紙搬送路６８，６９を備え、用紙に画像形成処理を行う。画像形成処理は画像処理に含まれる。
【００３１】
中間転写ベルトユニット６は、中間転写ベルト６１、駆動ローラ６２、従動ローラ６３、及びテンションローラを有している。中間転写ベルト６１は、駆動ローラ６２と従動ローラ６３との間に張架されてループ状の移動経路を形成している。
【００３２】
画像形成部１２０は、ブラック、並びに、カラー画像を色分解して得られる減法混色の３原色であるシアン、マゼンタ及びイエローの４色の各色相に対応した画像データを用いて、画像形成部５１，５２、５３，５４において画像形成処理を行う。画像形成部５１〜５４は、中間転写ベルト６１の移動経路に沿って一列に配置されている。画像形成部５２〜５４は、画像形成部５１と実質的に同様に構成されている。
【００３３】
ブラックの画像形成部５１は、感光体ドラム１、帯電装置２、現像装置４、一次転写ローラ５、及びクリーニングユニット６４を備えている。
【００３４】
帯電装置２は、感光体ドラム１の表面を所定の電位に均一に帯電させる。
【００３５】
露光ユニット３は、図示しない半導体レーザ、ポリゴンミラー、第１ｆθレンズ及び第２ｆθレンズを備えており、ブラック、シアン、マゼンタ及びイエローの各色相の画像データによって変調されたレーザビームのそれぞれを、画像形成部５１〜５４のそれぞれの感光体ドラム１に照射する。４個の感光体ドラム１のそれぞれの周面には、ブラック、シアン、マゼンタ及びイエローの各色相の画像データによる静電潜像が形成される。
【００３６】
現像装置４は、静電潜像が形成された感光体ドラム１の周面に、画像形成部５１〜５４のそれぞれの色相のトナー（現像剤）を供給し、静電潜像を現像剤像に顕像化する。
【００３７】
クリーニングユニット６４は、現像及び画像転写の後における感光体ドラム１の表面に残留したトナーを回収する。
【００３８】
中間転写ベルト６１の外周面は、４個の感光体ドラム１に順に対向する。中間転写ベルト６１を挟んで各感光体ドラム１に対向する位置のそれぞれに、一次転写ローラ５が配置されている。中間転写ベルト６１と感光体ドラム１とが互いに対向する位置のそれぞれが、一次転写位置である。
【００３９】
一次転写ローラ５には、感光体ドラム１の周面に担持された現像剤像を中間転写ベルト６１上に転写するために、トナーの帯電極性（マイナス）と逆極性（プラス）の一次転写バイアスが定電圧制御によって印加される。これによって、感光体ドラム１のそれぞれに形成された各色相の現像剤像は中間転写ベルト６１の外周面に順次重ねて転写（一次転写）され、中間転写ベルト６１の外周面にフルカラーの現像剤像が形成される。
【００４０】
但し、イエロー、マゼンタ、シアン及びブラックの色相の一部のみの画像データが入力された場合は、４個の感光体ドラム１のうち、入力された画像データの色相に対応する一部のみにおいて静電潜像及び現像剤像の形成が行われる。例えば、モノクロ印刷モード時には、ブラックの色相に対応した画像形成部５１の感光体ドラム１のみにおいて静電潜像の形成及び現像剤像の形成が行われ、中間転写ベルト６１の外周面にはブラックの現像剤像のみが転写（一次転写）される。
【００４１】
画像形成部５１〜５４の全てにおいて画像形成処理が行われるフルカラー画像形成時には、４個の一次転写ローラ５が中間転写ベルト６１を全ての感光体ドラム１に圧接させる。一方、画像形成部３１のみにおいて画像形成処理が行われるモノクロ画像形成時には、画像形成部５１のみにおいて一次転写ローラ５が中間転写ベルト６１を感光体ドラム１に圧接させる。
【００４２】
各一次転写ローラ５は、直径８〜１０ｍｍの金属（例えば、ステンレス）を素材とする軸の表面を導電性の弾性材によって被覆して構成されており、導電性の弾性材によって中間転写ベルト６１に均一に高電圧を印加する。
【００４３】
二次転写ローラ６６は、中間転写ベルト６１を挟んで駆動ローラ６２に所定のニップ圧で圧接している。二次転写ローラ６は、導電性樹脂であって硬質材料で構成されている。二次転写ローラ６６は、中間転写ベルト６１の外周面に担持された現像剤像を、用紙に転写（二次転写）する。
【００４４】
一次転写位置のそれぞれにおいて中間転写ベルト６１の外周面に転写された現像剤像は、中間転写ベルト６１の回転によって、中間転写ベルト６１と二次転写ローラ６６との対向位置である二次転写位置へ搬送される。
【００４５】
給紙部１３０の給紙トレイ８１には、用紙が収容されている。用紙搬送路６８には、複数の搬送ローラ１２Ａ，１２Ｂが配置されている。用紙搬送路６８は、給紙トレイ８１に収容されている用紙を、二次転写位置及び定着装置７を経由して用紙排紙トレイ６７へ送るために、略垂直方向に配置されている。
【００４６】
用紙搬送路６９には、複数の搬送ローラ１２Ｃ，１２Ｄが配置されている。用紙搬送路６９は、用紙の搬送方向において、定着装置７の下流側から二次転写位置の上流側まで設けられている。用紙搬送路６９には、定着装置７を通過した後で用紙排紙トレイ６７へ排出される用紙が、それまでの後端を前にして搬送される。これによって、用紙は表裏を反転した状態で、二次転写位置へ再送される。
【００４７】
給紙部１３０は、給紙カセット８１の他に、手差しトレイ８２を備えている。給紙カセット８１及び手差しトレイ８２のそれぞれには、用紙が収容される。
【００４８】
給紙部１３０は、給紙カセット８１又は手差しトレイ８２の何れかから１枚ずつ用紙を給紙する。給紙カセット８１に収容された用紙は、ピックアップローラ１１Ａによって給紙され、用紙搬送路６８を経由して二次転写位置へ搬送される。手差しトレイ８２に収容された用紙は、ピックアップローラ１１Ｂによって給紙され、用紙搬送路６８を経由して二次転写位置へ搬送される。
【００４９】
用紙搬送方向において二次転写位置の上流側に、レジストローラ１３が配置されている。レジストローラ１３は、給紙カセット８１又は手差しトレイ８２から給紙された用紙の先端を、中間転写ベルト６１の表面に形成された現像剤像の先端と合わせるタイミングで回転を開始し、二次転写位置へ用紙を供給する。
【００５０】
給紙部１３０から給紙された用紙が二次転写位置を通過する際に、駆動ローラ６２に、トナーの帯電極性（マイナス）と同極性（マイナス）の高電圧の転写電圧が印加される。これによって、中間転写ベルト６１の外周面から用紙の表面に、現像剤像が二次転写される。
【００５１】
現像剤像が用紙に転写された後の中間転写ベルト６１上に残留した現像剤は、中間転写ベルト用クリーニング装置６５によって回収される。
【００５２】
現像剤像が転写された用紙は、定着装置７に導かれ、加熱ローラ７１と加圧ローラ７２との間を通過することで加熱及び加圧される。これによって、現像剤像が、用紙の表面に堅牢に定着する。現像剤像が定着した用紙は、現像剤像が定着した面を下にして用紙排紙トレイ６７上へ排出される。
【００５３】
制御部３００は、画像処理装置１０を統括的に制御している。
【００５４】
第１操作部４００は、装置本体１００の上面であってＡＤＦ２００より前面側Ｆに配置されている。
【００５５】
図３に示すように、この実施形態では、装置本体１００の上面の操作パネル１０１のうち、装置本体１００の処理内容や動作状態等を表示する表示部４１０及び複数の操作キー４２０を含む第１操作部４００が、他の操作キー１０２を含む部分とは別に変位可能なように構成されている。表示部４１０として、例えば液晶タッチパネルが用いられる。
【００５６】
図４（Ａ）及び図４（Ｂ）では、装置本体１００の図示が省略されている。図４（Ａ）及び図４（Ｂ）に示すように、第１操作部４００は、背面側Ｒの端部である第１背面側端部４０１を装置本体１００のフレーム１０３に軸支されている。第１操作部４００は、装置本体１００の一方の側面１０４（図２参照）と、側面１０４の裏面となる他方の側面１０５と、を結ぶ左右方向に配置された回転軸３２を中心に装置本体１００に対して回転自在に構成されている。なお、回転軸３２は、この実施形態では左右の端部のそれぞれに配置されているが、左右方向に延びる１本の回転軸で構成することもできる。
【００５７】
第１操作部４００は、図４（Ａ）に示すように、装置本体１００の上面に沿った通常位置と、図４（Ｂ）に示すように、装置本体１００における前面側Ｆへ下り傾斜するように回転した傾斜位置との間で、回転自在である。第２操作部５００は、第１操作部４００に保持されている。第１操作部４００が回転する構成の詳細については後述する。
【００５８】
第２操作部５００は、装置本体１００を制御するための入力操作を受け付ける。第２操作部５００は、図４（Ａ）及び図４（Ｂ）に示すように第１操作部４００の下に重なるように配置された収納位置と、図５（Ａ）及び図５（Ｂ）に示すように第１操作部４００から装置本体１００における前面側Ｆへ引き出された引き出し位置との間で変位自在となるように、第１操作部４００に保持されている。
【００５９】
第１操作部４００は、第２操作部５００が収納位置と引き出し位置との何れに位置するかに関わらず、通常位置と傾斜位置との間で回転自在である。
【００６０】
図６及び図７に示すように、第２操作部５００は、保持体５１０、キーボードケース５２０、及びキーボード５３０から構成されている。キーボード５３０はキーボードケース５２０内に固定され、キーボード５３０とキーボードケース５２０とは一体的に変位する。キーボード５３０及びキーボードケース５２０は、第２操作部本体を構成する。
【００６１】
保持体５１０及びキーボードケース５２０にはそれぞれ、スライドレール５１１，５１２が設けられている。キーボードケース５２０は、スライドレール５１１，５１２がスライドすることによって、保持体５１０に対して収納位置と引き出し位置とに変位する。キーボードケース５２０の収納位置と引き出し位置との間の変位は、手動操作によって行われる。
【００６２】
図８（Ａ）図８（Ｂ）図９（Ａ）及び図９（Ｂ）に示すように、保持体５１０は、前面側Ｆに配置された第１操作部４００の第１前面側端部４０２によって、前面側Ｆに配置された第２前面側端部５０２を軸支されている。
【００６３】
また、背面側Ｒに配置された保持体５１０の第２背面側端部５０１にコイルバネ４５の一端部が固定され、第１操作部４００の第１背面側端部４０１にコイルバネ４５の他端部が固定されている。コイルバネ４５は、第２背面側端部５０１を第１背面側端部４０１へ近接させる方向に付勢している。なお、コイルバネ４５に代えて、ゴム等の弾性部材を用いることもできる。
【００６４】
第１操作部４００は、装置本体１００のフレーム１０３に、ヒンジ３０によって軸支されている。ヒンジ３０の一端部はフレーム１０３に固定され、他端部３１は第１操作部４００のピン４１に固定されている。ピン４１は、第１背面側端部４０１の側面に立設されている。第１操作部４００は、ヒンジ３０の回転軸３２を中心にして、装置本体１００の前面側Ｆと背面側Ｒとを結ぶ方向に回転する。ヒンジ３０として、チルトヒンジが用いられている。チルトヒンジは、動作範囲を一定のトルクで円滑に回転し、所望の角度で停止することができる。
【００６５】
第１操作部４００は、装置本体１００の上面に配置されるが、前面側Ｆへ下り傾斜するように傾斜位置へ回転させることで、回転前よりも低い位置からの表示部４１０の視認性がよくなる。車椅子に乗ったユーザは低い位置から表示部４１０を見ることになるが、回転前よりも低い位置からでも表示部４１０の視認性が良いので、車椅子に乗ったユーザにとっても表示部４１０の視認性がよくなる。
【００６６】
ヒンジ３０は、回転軸３２と同芯上に配置された第１ギヤ３３を有する。第１ギヤ３３は、装置本体１００のフレーム１０３に対して固定されている。
【００６７】
ピン４１は、第２ギヤ４２及びカム４３を軸支している。第２ギヤ４２は、第１ギヤ３３と噛み合っている。カム４３は、第２ギヤ４２と一体的に回転する。カム４３として、偏芯した板カムが用いられている。
【００６８】
第１操作部４００が通常位置から傾斜位置へ回転すると、第１操作部４００の回転に伴って第２ギヤ４２が、第１操作部４００と同方向に回転し、第２ギヤ４２の回転に伴ってカム４３も第１操作部４００と同方向に回転する。
【００６９】
背面側Ｒに配置された保持体５１０の第２背面側端部５０１の側面に、ボス４４が突起している。カム４３の輪郭を構成する外周部は、ボス４４の周面を摺動する。
【００７０】
第１操作部４００が通常位置から傾斜位置へ回転するのに伴ってカム４３が回転することで、第１操作部４００の第１背面側端部４０１と保持体５１０の第２背面側端部５０１との間隔が調整される。このため、カム４３の外周部の形状を調整することで、第１操作部４００の装置本体１００に対する回転状態に関わらず、第２操作部５００の角度を一定に保持することができる。カム４３、ボス４４、及びコイルバネ４５は、角度保持部材に含まれる。
【００７１】
第２操作部５００は、第１操作部４００に保持されるが、第１操作部４００の装置本体１００に対する回転状態に関わらず角度を一定に保持されるので、第１操作部４００を回転させる前の通常位置にある際と同じ角度を保持したまま、引き出し位置に配置される。通常位置にある第１操作部４００は装置本体１００の上面に沿って略水平方向に配置されるので、第２操作部５００は、第１操作部４００の装置本体１００に対する回転状態に関わらず略水平方向に保持される。
【００７２】
また、第１操作部４００は、第１背面側端部４０１を装置本体１００に軸支されているので、第１前面側端部４０２が上下方向に回転する。第１操作部４００を前面側Ｆへ下り傾斜するように通常位置から傾斜位置へ回転させることで、第１操作部４００の第１前面側端部４０２は回転前に比べて低くなる。第２操作部５００は第１前面側端部４０２に軸支されているので、第１前面側端部４０２が回転前より低くなると、第２操作部５００も回転前より低くなる。
【００７３】
図１０に示すように、車椅子に乗ったユーザは、画像処理装置１０を操作する際に、第１操作部４００を傾斜位置に回転させることで、第１操作部４００が前面側Ｆへ下り傾斜するので、表示部４１０の視認性を向上させることができる。
【００７４】
車椅子に乗ったユーザは、第１操作部４００のみを使用して第２操作部５００を使用しない場合は第２操作部５００を収納位置に配置し、第２操作部５００を使用する場合は第２操作部５００を引き出し位置に引き出すことができる。
【００７５】
第１操作部４００を傾斜位置に配置することで、第１操作部４００が通常位置にある場合よりも第２操作部５００の配置が低くなる上、第２操作部５００の角度が水平方向に保持されるので、車椅子に乗ったユーザは第２操作部５００を引き出し位置に引き出すことで、キーボード５３０に対する操作性が向上する。
【００７６】
また、装置本体１００は所謂胴内排出形状を呈しており、用紙排紙トレイ６７は、画像読取部１１０の下方の空間８３に配置され、第１操作部４００及び第２操作部５００は、画像読取部１１０の上面に配置される。第２操作部５００は、使用時には装置本体１００の前面側Ｆに水平状態を保持したままで引き出される一方、不使用時には、第１操作部４００の下に重なるように収納されるので、用紙排紙トレイ６７からの用紙の取り出しの妨げにならない。このため、用紙排紙トレイ６７からの用紙の取り出しの作業性がよい。
【００７７】
なお、表示部４１０に、図１１に示すようなキーボードを表示して、第１操作部４００からの文字入力を可能にすることもできる。これによって、第２操作部５００を引き出し位置に引き出すことなく、電子メールアドレス等の入力を行うことができる。
【００７８】
また、操作パネル１０１の全体を第１操作部４００として装置本体１００に対して回転自在に構成することもできる。
【００７９】
画像処理装置１０は、画像形成部１２０及び給紙部１３０を備えていない画像読取装置として構成することもでき、さらに、ＡＤＦ２００を備えていない画像読取装置として構成にすることもできる。また、画像処理装置１０は、ＡＤＦ２００及び画像読取部１１０を備えていない画像形成装置として構成することもできる。
【００８０】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００８１】
１０  画像処理装置
３０  ヒンジ
３２  回転軸
３３  第１ギヤ
４１  ピン
４２  第２ギヤ
４３  カム
４４  ボス
６７  用紙排紙トレイ
８３  空間
１００  装置本体
１０３  フレーム
１０４，１０５  側面
１１０  画像読取部
１２０  画像形成部
１３０  給紙部
２００  ＡＤＦ
３００  制御部
４００  第１操作部
４０１  第１背面側端部
４０２  第１前面側端部
４１０  表示部
５００  第２操作部
５０１  第２背面側端部
５０２  第２前面側端部
５１０  保持体
５２０  キーボードケース（第２操作部本体）
５３０  キーボード（第２操作部本体）
Ｆ  前面側
Ｒ  背面側
【図１】
2011091746.tif 000003
【図２】
2011091746.tif 000004
【図３】
2011091746.tif 000005
【図４】
2011091746.tif 000006
【図５】
2011091746.tif 000007
【図６】
2011091746.tif 000008
【図７】
2011091746.tif 000009
【図８】
2011091746.tif 000010
【図９】
2011091746.tif 000011
【図１０】
2011091746.tif 000012
【図１１】
2011091746.tif 000013